(57)【要約】      （修正有）【課題】複数の異なる形状のバッテリ装着可能な電子機器本体に対して、異なる形状のバッテリを装着しても安定して装着可能とするバッテリロック機構を実現する。【解決手段】複数の異なる形状のバッテリ１が装着可能なバッテリ収納部２を有する電子機器において、すべての形状のバッテリ挿入方向の規制が可能な第１ロック部材５と、特定のバッテリ外形に設けた所定の形状に対して係合する第２ロック部材７とを有し、第１ロック部材５の解除操作と第２のロック部材７の解除操作とは連動して行われる。【選択図】図３（ａ）
2015185397.tif 000002
【特許請求の範囲】
【請求項１】
複数の異なる形状のバッテリが装着可能なバッテリ収納部を有する電子機器において、すべての形状のバッテリ挿入方向の規制が可能な第１のロック部と、特定のバッテリ外形に設けた所定の形状に対して係合する第２のロック部を有し、前記第１のロック部の解除操作と前記第２のロック部の解除操作は連動して行われることを特徴とするバッテリ保持構造。
【請求項２】
前記第２のロック部の解除操作は前記第１のロック部の解除操作より作動力が重いことを特徴とする請求項１に記載のバッテリ保持構造。
【請求項３】
第１のロック部の解除操作によって第１のロック部解除を行った後、第２のロック部解除操作によって第２のロック部の解除が行われることを特徴とする請求項２に記載のバッテリ保持構造。
【請求項４】
前記複数の異なる形状のバッテリは前記電子機器本体との間で電気的接続端子を防水可能とするバッテリを含み、前記第２のロック部の係合によって、前記電子機器本体との間で電気的接続端子部を防水することを特徴とする請求項１乃至請求項３の何れか一項に記載のバッテリ保持構造。
【発明の詳細な説明】
【技術分野】
【０００１】
本発明は、複数の異なる形状のバッテリの装着を安定して行う構造に関するものである。
【背景技術】
【０００２】
電子機器本体にバッテリ容量の違いで大きさの異なる形状のバッテリを、本体の電池装着部に設けられた同一の機械的係合手段によって装着していた（特許文献１参照）。
【先行技術文献】
【特許文献】
【０００３】
【特許文献１】特開平８−１７４１３
【発明の概要】
【発明が解決しようとする課題】
【０００４】
しかしながら、上記従来例では、大きさの異なるバッテリを同一の機械的係合手段によって電子機器本体の電池装着部に装着していたため、重量が重く外形形状が大きいバッテリを装着した場合、バッテリ自身の重量によって機械的係合手段に係る負荷が大きいため、バッテリの装着がはずれ易かった。
【０００５】
本発明の目的は、複数の異なる形状のバッテリ装着可能な電子機器本体に対して、異なる形状のバッテリを装着しても安定して装着可能とするバッテリロック機構を実現することである。
【課題を解決するための手段】
【０００６】
上記目的を達成するため、本出願に係る第１の発明は、複数の異なる形状のバッテリが装着可能なバッテリ収納部を有する電子機器において、すべての形状のバッテリ挿入方向の規制が可能な第１のロック部と、特定のバッテリ外形に設けた所定の形状に対して係合する第２のロック部を有し、前記第１のロック部の解除操作と前記第２のロック部の解除操作は連動して行われることを特徴としている。
【０００７】
また、本出願に係る第２の発明は、前記第２のロック部の解除操作は前記第１のロック部の解除操作より作動力が重いことを特徴としている。
【０００８】
また、本出願に係る第３の発明は、第１のロック部の解除操作によって第１のロック部解除を行った後、第２のロック部解除操作によって第２のロック部の解除が行われることを特徴としている。
【０００９】
また、本出願に係る第４の発明は、前記複数の異なる形状のバッテリは前記電子機器本体との間で電気的接続端子を防水可能とするバッテリを含み、前記第２のロック部の係合によって、前記電子機器本体との間で電気的接続端子部を防水することを特徴としている。
【発明の効果】
【００１０】
第１の発明によれば、複数のバッテリロック係合する手段を用いて複数の異なる形状のバッテリを装着することによって、本体に対して安定して装着可能とするとともにバッテリ取り外し時の操作性も損なわないバッテリロック機構が可能となった。
【００１１】
第２の発明によれば、複数のバッテリロック係合する手段を用いて複数の異なる形状のバッテリを装着することによって、本体に対して安定して装着可能とするとともに、不用意に取り外しできないバッテリロック機構が可能となった。
【００１２】
第３の発明によれば、複数のバッテリロック係合する手段を用いて複数の異なる形状のバッテリを装着することによって、本体に対して安定して装着可能とするとともに、不用意に取り外しできないバッテリロック機構が可能となった。
【００１３】
第４の発明によれば、複数の異なる形状のバッテリが、本体とバッテリの間で防水を行うことのできるバッテリを使用した場合でも、安定した防水性能を確保するとともに不用意に取り外しできないバッテリロック機構が可能となった。
【図面の簡単な説明】
【００１４】
【図１】第１の実施形態の撮影機器の全体斜視図
【図２】第１の実施形態の撮影機器のバッテリをはずした状態の部分斜視図
【図３（ａ）】第１の実施形態のバッテリに対する第２のロック部の動きを示した断面図
【図３（ｂ）】第１の実施形態のバッテリに対する第２のロック部の動きを示した断面図
【図４（ａ）】第１の実施形態のバッテリに対する第１のロック部の動きを示した断面図
【図４（ｂ）】第１の実施形態のバッテリに対する第１のロック部の動きを示した断面図
【図４（ｃ）】第１の実施形態のバッテリに対する第１のロック部の動きを示した断面図
【図５（ａ）】第１の実施形態のバッテリに対する第２のロック部を解除するための動きを示した断面図
【図５（ｂ）】第１の実施形態のバッテリに対する第２のロック部を解除するための動きを示した断面図
【図６】第１の実施形態の第１のロック部と第２のロック部解除部の連動状態を表す斜視図
【図７】第１の実施形態の第２のロック部が係合可能なバッテリを示す斜視図
【図８】第１の実施形態の第２のロック部が係合しない非防水バッテリを示す斜視図
【図９】第２のロック部が係合しない非防水バッテリを装着した時の第２ロック部の状態を示す断面図
【図１０】第２の実施形態の大容量バッテリを装着した状態の第１ロック部、および第２ロック部の係合を表す断面図
【図１１】第２の実施形態の小容量バッテリを装着した状態の第１ロック部、および第２ロック部の係合を表す断面図
【発明を実施するための形態】
【００１５】
以下、本発明を実施するための形態を図面に基づいて説明する。
【００１６】
＜第１の実施形態＞
図１は本案第１の実施形態の撮影機器の全体斜視図である。図２は本案第１の実施形態の撮影機器のバッテリをはずした状態の部分斜視図である。図３は本案第１の実施形態のバッテリに対する第２のロック部の動きを示した断面図で、図３（ａ）は、第２のロック部がバッテリに係合した状態を示す断面図であり、図３（ｂ）は、第２のロック部がバッテリに対して係合解除となった状態を示す断面図である。
【００１７】
図４は本案第１の実施形態のバッテリに対する第１のロック部の動きを示した断面図で、図４（ａ）は、第１のロック部がバッテリ室内に突出した状態を示す断面図であり、図４（ｂ）は、第１のロック部がバッテリ室外に退避した状態を示す断面図であり、図４（ｃ）は、第１のロック部がバッテリ室外に退避した後、第２のロック部を解除させた状態を示す断面図である。
【００１８】
図５は本案第１の実施形態のバッテリに対する第２のロック部を解除するための動きを示した断面図で、図５（ａ）は、第１のロック部がバッテリ室外に退避した後、第２のロック部が未解除の状態を示す断面図であり、図５（ｂ）は、第１のロック部がバッテリ室外に退避した後、第２のロック解除部が第２のロック部を解除した状態を示す断面図である。
【００１９】
図６は本案第１の実施形態の第１のロック部と第２のロック解除部の連動状態を表す斜視図である。図７は本案第１の実施形態の第２のロック部が係合可能なバッテリの形状を示す斜視図である。
【００２０】
図１〜図７において、１は撮影機器４０の電源となるバッテリ、２は、バッテリ１を装着する撮影機器４０のバッテリ室、バッテリ１は撮影機器４０の本体１０の底面からスライドさせて装脱着する。バッテリ室２内には、ガイドレール２ａ、バッテリ１にはガイドレール２ａと係合する係合溝１ｃが設けられ、バッテリ１をスライド移動可能にガイドするとともに、撮影機器４０の背面方向へのバッテリ１の抜け止めとなっている。  バッテリ室２のバッテリ１の挿入開口部対向側面には、本体内部の電気回路に接続された正極と負極の２極を一対とした接続端子３がバッテリ室２側面に設けられた開口からバッテリ室２内に突出している。バッテリ１には、接続端子３に対応した面にバッテリ端子１ａが設けられ、バッテリ１の装着時に接続端子３と電気的接続が行われる。
【００２１】
接続端子３の周囲にはゴムパッキン４が設けられ、バッテリ１をバッテリ室２に対してスライド装着し所定の位置にロックされることで、ゴムパッキン４がバッテリ１の座面１ｄによって圧縮され接続端子３とバッテリ端子１ａの接触部を防水している。
【００２２】
５は、第１ロック部材で、本体１０の底面にバッテリ１の装着方向と直交する方向でスライド移動可能に取り付けられており、第１ロック部材５と本体１０のばね付勢面１０ａとの間で第１付勢ばね６で付勢され、先端がバッテリ室２内に突出し、バッテリ室２内に装着したバッテリ１の装脱着方向の移動規制をしている。また、第１ロック部材５を第１付勢ばね６に逆らって移動させることで、先端がバッテリ室２から退避し、バッテリ１が抜け方向へ移動可能となる。
【００２３】
７は、第２ロック部材で、バッテリ室２の対向する２つの側面に、バッテリ室２に対して回転軸７ａを中心に回動可能に一対で取り付けられている。また、第２ロック部材７の先端には爪部７ｂが設けられ、爪部７ｂがバッテリ室２内に突出するように、本体１０と第２ロック部材７の付勢部７ｃの間で第２付勢ばね８によって付勢されている。バッテリ室２内に突出した爪部７ｂはバッテリ１を装着した時バッテリ１に設けられた対向する２か所の凹部１ｂに係合することで、ゴムパッキン４をバッテリ１の座面１ｄによって圧縮した状態で、バッテリ１は、バッテリ室２に保持されている。第２付勢ばね８による第２ロック部材７のバッテリ１のロック力は、第１のロック部５のロック力より大きく設定されている。
【００２４】
上記内容で、バッテリ１の保持は第２ロック部材７とバッテリ１の凹部１ｂとの係合を優先し、第１ロック部材５とバッテリ１の間は隙間をもたせている。これはバッテリ１の保持時、ゴムパッキン４を圧縮するためバッテリ１が受ける反発力が大きいため、ロック力が大きい第２ロック部材７で確実にバッテリ１をロックさせるためである。
【００２５】
第１ロック部材５には移動規制部材９が第１ロック部材５の移動方向と直交する方向に移動可能に配置されている。移動規制部材９は、ばね付勢面９ａと内部スライド部材１３のばね付勢面１３ａとの間で第３付勢ばね１１によって第１ロック部材５に対して抜け止めされた状態で先端が突出するように付勢されている。
【００２６】
第１ロック部材５がバッテリ１の抜け止め解除位置までスライド移動する時、移動規制部材９と内部スライド部材１３も一緒に移動する。第１ロック部材５を移動させて先端がバッテリ室２内から退避しバッテリ１が本体１０から抜け方向へ移動できる位置（第１ストローク）まで移動したとき、移動規制部材９の突き当て面９ｂが本体１０の壁１０ｂに規制されて、第１ロック部材５はいったん停止する。その後、移動規制部材９を第１ロック部材５に対して押しこむと移動規制部材９の突き当て面９ｂは本体１０の壁１０ｂの規制から外れるため、第１ロック部材５はさらに移動（第２ストローク）可能となる。この時、第１付勢ばね６の付勢力は第１ストロークと第２ストロークでは、ばねチャージ量が違うため、第２ストロークで重くなる。
【００２７】
第１ロック部材５は第２ストロークの領域で、第１ロック部材５に設けられた係合突起５ａに係合した連結部材１２を連動して移動させる。連結部材１２は、本体１０のガイド溝１０ｃよって平行移動する。連結部材１２の一端には一対の傾斜面１２ａが設けられており、第２ロック部材７の爪部７ｂの先端に設けられた作動部７ｄに傾斜面１２ａが接触しながら移動することで、第２ロック部材７は第２付勢ばね８の付勢力に逆らって回転する。
【００２８】
これにより第２ロック部材７の爪７ｂはバッテリ１の凹部１ｂとの係合が外れて、バッテリ１がの取り外しが可能となり、防水状態ではなくなる。
【００２９】
１４は本撮影機器の撮影開始停止を行うトリガーボタン、１５は、画像、撮影情報等の表示を行うＬＣＤ表示部、１６は、同じく画像、撮影情報等の表示を行うＥＶＦ表示部である。
【００３０】
バッテリ１は接続端子３とバッテリ端子１ａの防水を可能としているが、バッテリの汎用性を考慮すると防水を必要としない撮影機器に使用される非防水バッテリ２０も本機器で使用されることが想定される。この場合、非防水バッテリ２０はバッテリ側面に設けられた凹部が設けられていない。このような非防水バッテリ２０を装着した時の説明を図８、９を使って行う。
【００３１】
図８は第２のロック部が係合しないバッテリを示す斜視図である。図９は非防水バッテリ２０を装着した時の第２ロック部の状態を示す断面図である。
【００３２】
非防水バッテリ２０はバッテリ室２の底面からバッテリ１と同様にバッテリ室２内に設けられたガイドレール２ａに非防水バッテリ２０の係合溝２０ｃがガイドされ、バッテリ室２に対してスライドして装脱着される。そして第１ロック部材５がバッテリ室２内に突出することで非防水バッテリ２０の抜け止めがなされ、接続端子３とバッテリ端子２０ａの電気的接続がとられてる。そして第１ロック部材５を第１付勢ばね６に逆らって移動させることで、非防水バッテリ２０を抜け方向への移動可能とする。
【００３３】
第２ロック部材７は、非防水バッテリ２０に凹部がないため、非防水バッテリ２０と係合せず、爪部７ｂは非防水バッテリ２０の側面に突き当たっている。第１ロック部材５の第２ストローク操作で、連結部材１２を移動させても、第２ロック部材７は非防水バッテリ２０の側面に押されて、作動部７ｄは連結部材１２の傾斜面１２ａから逃げているため、連結部材１２の移動に負荷がかからないため、第１ロック部材５を移動させる作動力は軽くて済む。
【００３４】
非防水バッテリ２０は、第１ロック部材のみによって抜け方向への規制がされているが、非防水バッテリ２０は防水のためのゴムパッキン４の圧縮がされないため、第１ロック部材５のみによっても確実にロックされる。
【００３５】
＜第２の実施形態＞
次に、第２の実施形態として接点部防水機能を持たないバッテリ室で装着するバッテリの大きさが異なる場合を説明する。
【００３６】
図１０は本案第２の実施形態の大容量バッテリを装着した状態の第１ロック部、および第２ロック部の係合を表す断面図で、図１０（ａ）は第１のロック部がバッテリ室に突出した状態を示す断面図で、図１０（ｂ）は第２のロック部が係合した状態を示す断面図、図１０（ｃ）は、第１のロック部がバッテリに対して解除となった後、連結部材の状態を示す断面図である。
【００３７】
図１１は本案第２の実施形態の小容量バッテリを装着した状態の第１ロック部、および第２ロック部がバッテリ室から退避した状態を示す断面図で、図１１（ａ）は第１のロック部が係合した状態示す断面図で、図１１（ｂ）は第２のロック部がバッテリ側面に突き当たり退避した状態を示す断面図、図１１（ｃ）は、第１のロック部がバッテリ室から退避した後、連結部材の状態を示す断面図である。第１の実施形態と同じ部分には同一の符号を用いる。
【００３８】
図１０〜図１１において、２５は充電容量が大きい大容量バッテリで、第１の実施形態と同様に撮影機器４０の本体１０の底面からスライドさせて装脱着する。バッテリ室２内には大容量バッテリ２５をスライド方向にガイドするガイドレール２ａ、大容量バッテリ２５にはガイドレールと係合する係合溝２５ｃが設けられ、大容量バッテリ２５をスライド移動可能にガイドするとともに、撮影機器４０の背面方向へのバッテリ１の抜け止めとなっている。
【００３９】
バッテリ室２のバッテリ２０の挿入開口部対向側面には、本体内部の電気回路に接続された接続端子３とバッテリ端子２５ａが電気的接続されている。
【００４０】
第１ロック部材５は先端がバッテリ室２内に突出するよう第１付勢ばね６で付勢され、バッテリ室２内に装着した大容量バッテリ２５の抜け止めとして機能している。第２ロック部材７は、バッテリ室２の対向する２つの側面にバッテリ室２に対して回転軸７ａを中心に回動可能に一対で取り付けられている。また、先端に設けられた爪部７ｂがバッテリ室２内に突出するように、第２付勢ばね８で付勢されている。バッテリ室２内に飛び出した爪部７ｂは大容量バッテリ２５の２か所の凹部２５ｂに係合することで、大容量バッテリ２５が、バッテリ室２からの抜け止めになっている。第２付勢ばね８による第２ロック部材７のバッテリ２０のロック力は、第１のロック部５のロック力より大きく設定されている。
【００４１】
上記内容で、大容量バッテリ２５の保持は第１の実施形態と同様に、第２ロック部材７と大容量バッテリ２５の凹部２５ｃとの係合を優先して、第１ロック部材５と大容量バッテリ２５の間は隙間をもたせている。これは、大容量バッテリ２５の重量が重いため、ロック力が大きい第２ロック部材７で確実に大容量バッテリ２５をロックさせるためである。
【００４２】
大容量バッテリ２５の取り外しは、第１の実施形態と同様で、第１ロック部材５が大容量バッテリ２５の抜け止め解除方向にスライド移動し、移動規制部材９の一面が本体１０の壁１０ｂに突き当たることでいったん停止した後、移動規制部材９を第１ロック部材５に対して押しこむことでさらに移動可能となり、連結部材１２を連動して移動し、連結部材１２の傾斜面１２ａが第２ロック部材７の爪部７ｂの先端に設けられた作動部７ｄに接触して第２ロック部材７を回転させて第２ロック部材７の爪部７ｂを退避させることでが可能となる。
【００４３】
大容量バッテリ２５に対して、小容量バッテリ２６はバッテリ端子２６ａを有しているが、少容量のためバッテリ外形形状が小さく、２か所の凹部は設けられていない。小容量バッテリ２６は大容量バッテリ２５と同様にバッテリ室２に対して底面からバッテリ室２のガイドレール２ａと、小容量バッテリ２６の係合溝２６ｃによってスライドして装脱着され、第１ロック部材５によって抜け方向への移動は規制される。小容量バッテリ２６には側面に凹部がないため、第２ロック部材７の爪部７ｂは係合せず、爪部７ｂは小容量バッテリ２６の側面に突き当たっている。第１ロック部材５の第２ストローク操作で、連結部材１２を移動させても、第２ロック部材７は小容量バッテリ２６の側面に押されて、作動部７ｄは連結部材１２の傾斜面１２ａから逃げているため、連結部材１２の移動に負荷がかからないため、第１ロック部材５を移動させる作動力は軽くて済む。小容量バッテリ２６は、第１ロック部材のみによって抜け方向への規制がされているが、小容量バッテリ２６は小型であり重量が軽いため、第１ロック部材５のみによっても確実にロックされる。
【００４４】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００４５】
１‥‥バッテリ
２‥‥バッテリ室
３‥‥接続端子
４‥‥ゴムパッキン
５‥‥第１ロック部材
６‥‥第１付勢ばね
７‥‥第２ロック部材
８‥‥第２付勢ばね
９‥‥移動規制部材
１０‥‥本体
１１‥‥第３付勢ばね
１２‥‥連結部材
１３‥‥内部スライド部材
２０‥‥非防水バッテリ
２５‥‥大容量バッテリ
２６‥‥小容量バッテリ
【図１】
2015185397.tif 000003
【図２】
2015185397.tif 000004
【図３（ａ）】
2015185397.tif 000005
【図３（ｂ）】
2015185397.tif 000006
【図４（ａ）】
2015185397.tif 000007
【図４（ｂ）】
2015185397.tif 000008
【図４（ｃ）】
2015185397.tif 000009
【図５（ａ）】
2015185397.tif 000010
【図５（ｂ）】
2015185397.tif 000011
【図６】
2015185397.tif 000012
【図７】
2015185397.tif 000013
【図８】
2015185397.tif 000014
【図９】
2015185397.tif 000015
【図１０】
2015185397.tif 000016
【図１１】
2015185397.tif 000017